(57)【要約】【課題】ハウジングの外部で固定されたアキシャル部品の接触不良および脱落を防止可能なトリガースイッチを提供すること。【解決手段】収容部（１１）を有するハウジング（１０）と、ハウジング（１０）に対して接近および開離可能に連結されたトリガー）と、ハウジング（１０）に対するトリガーの接近動作および開離動作に連動して固定接点に接触および開離する可動接点とを有する接点機構部と、接点機構部に電気的に接続されている板状の第１端子（３０）および板状の第２端子（４０）とを備える。第１端子（３０）が、第１リード（５２）を接続し固定する第１固定部（３１）と、第１リード（５２）の軸方向における第１固定部（３１）とは異なる位置で第１リード（５２）を係止してアキシャル部品（５０）の脱落を防止する脱落防止部（３２）とを有し、第２端子（４０）が、第２リード（５３）を接続し固定する第２固定部（４１）を有している。【選択図】図４
2018152294.tif 000002
【特許請求の範囲】
【請求項１】
内部に収容部を有するハウジングと、
前記ハウジングの外部に設けられ、前記ハウジングに対して接近および開離可能に連結されたトリガーと、
収容部内に設けられた固定接点と、前記収容部内で前記固定接点に対向するように設けられていると共に、前記ハウジングに対する前記トリガーの接近動作および開離動作に連動して前記固定接点に接触および開離する可動接点とを有する接点機構部と、
前記ハウジングに固定され、前記ハウジングの外部から前記収容部まで延びていると共に、前記接点機構部に電気的に接続されている板状の第１端子と、
前記ハウジングに固定され、前記ハウジングの外部から前記収容部まで延びていると共に、前記第１端子と板面同士が対向するように並列に配置され、前記接点機構部に電気的に接続された板状の第２端子と、
部品本体と、前記部品本体の両側から互いに反対方向にそれぞれ延びていると共に前記ハウジングの外部で前記第１端子および第２端子にそれぞれ固定されている棒状の第１リードおよび棒状の第２リードとを有し、前記ハウジングの外部に配置されたアキシャル部品と
を備え、
前記第１端子が、前記第１リードを接続し固定する第１固定部と、前記第１リードの軸方向における前記第１固定部とは異なる位置で前記第１リードを係止して前記アキシャル部品の脱落を防止する脱落防止部とを有し、
前記第２端子が、前記第２リードを接続し固定する第２固定部を有している、トリガースイッチ。
【請求項２】
前記第１端子の前記脱落防止部が第１脱落防止部であり、
前記第２端子が、前記第２リードを係止して前記アキシャル部品の脱落を防止する第２脱落防止部を有する、請求項１に記載のトリガースイッチ。
【請求項３】
前記第１端子が、
前記ハウジングの外部から前記収容部まで延びている端子本体と、
前記端子本体と板面同士が対向していると共に、前記第１リードの前記軸方向かつ前記第２端子に接近する方向に並列に配置された板部材と、
前記端子本体と前記板部材とを接続する接続部材と
を有し、
前記第１固定部が、前記端子本体および前記板部材のいずれか一方に設けられ、
前記第２固定部が、前記端子本体および前記板部材のいずれか他方に設けられている、請求項１または２に記載のトリガースイッチ。
【請求項４】
前記端子本体が、
前記端子本体の延在方向かつ前記第１リードの前記軸方向に交差する前記端子本体の板幅方向に対向する一対の側面の一方から前記板幅方向に突出している突出部と、
前記突出部の前記板幅方向における前記側面から遠い方の端部に開口部が設けられた第１凹部と
を有し、
前記板部材が、
前記板幅方向の一方の端部に開口部が設けられていると共に、前記第１リードに交差する平面において、前記端子本体の延在方向に対して前記第１凹部と同じ側に配置されている第２凹部を有し、
前記第１凹部および前記第２凹部が、
前記開口部に接続され、前記開口部から前記側面に向かう第１直線に沿って延びる凹部本体と、
前記凹部本体に接続され、前記凹部本体の前記開口部に対向する底部から前記第１直線に交差する第２直線に沿って延びる位置決め用切欠部と
を有し、
前記第１凹部および前記第２凹部のいずれか一方が前記第１固定部であり、前記第１凹部および前記第２凹部のいずれか他方が前記第２固定部である、請求項３に記載のトリガースイッチ。
【発明の詳細な説明】
【技術分野】
【０００１】
本発明は、トリガースイッチに関する。
【背景技術】
【０００２】
特許文献１に開示されているトリガースイッチは、ハウジングと、ハウジングの外部に設けられかつハウジングに対して接近および開離可能に連結されたトリガーと、ハウジングの内部に設けられ、ハウジングに対するトリガーの接近動作および開離動作に連動して作動する接点機構部と、接点機構に電気的に接続された一対の端子とを備えている。一対の端子は、それぞれ、ハウジングの内部からハウジングの外部まで延びている。
【先行技術文献】
【特許文献】
【０００３】
【特許文献１】特開２０１５−１５３６２６号公報
【発明の概要】
【発明が解決しようとする課題】
【０００４】
近年、電動ドライバーなどの電動具の小型軽量化に伴って、電動具に使用されるトリガースイッチの収容スペースが制限される場合が増えている。このため、例えば、逆起電力を吸収するためのダイオードを前記トリガースイッチに設ける場合、ハウジングの内部ではなく、一対の端子のハウジングの外部に位置している部分に固定することが考えられる。
【０００５】
ダイオードなどのアキシャル部品を一対の端子に固定する場合、一般に、部品本体の両側から互いに反対方向に延びる一対のリードのそれぞれを、各端子に対して一カ所で固定する固定方法が用いられる。しかし、電動ドライバーなどの振動を発生させる電動具に用いられるトリガースイッチに対して前記固定方法を用いた場合、発生した振動により固定強度が低下して、アキシャル部品と一対の端子との間で接触不良が発生したり、アキシャル部品が脱落したりするおそれがある。
【０００６】
そこで、本発明は、ハウジングの外部で固定されたアキシャル部品の接触不良および脱落を防止可能なトリガースイッチを提供することを課題とする。
【課題を解決するための手段】
【０００７】
本発明の一態様のトリガースイッチは、
内部に収容部を有するハウジングと、
前記ハウジングの外部に設けられ、前記ハウジングに対して接近および開離可能に連結されたトリガーと、
収容部内に設けられた固定接点と、前記収容部内で前記固定接点に対向するように設けられていると共に、前記ハウジングに対する前記トリガーの接近動作および開離動作に連動して前記固定接点に接触および開離する可動接点とを有する接点機構部と、
前記ハウジングに固定され、前記ハウジングの外部から前記収容部まで延びていると共に、前記接点機構部に電気的に接続されている板状の第１端子と、
前記ハウジングに固定され、前記ハウジングの外部から前記収容部まで延びていると共に、前記第１端子と板面同士が対向するように並列に配置され、前記接点機構部に電気的に接続された板状の第２端子と、
部品本体と、前記部品本体の両側から互いに反対方向にそれぞれ延びていると共に前記ハウジングの外部で前記第１端子および第２端子にそれぞれ固定されている棒状の第１リードおよび棒状の第２リードとを有し、前記ハウジングの外部に配置されたアキシャル部品と
を備え、
前記第１端子が、前記第１リードを接続し固定する第１固定部と、前記第１リードの軸方向における前記第１固定部とは異なる位置で前記第１リードを係止して前記アキシャル部品の脱落を防止する脱落防止部とを有し、
前記第２端子が、前記第２リードを接続し固定する第２固定部を有している。
【発明の効果】
【０００８】
前記態様のトリガースイッチによれば、第１端子が、アキシャル部品の第１リードを接続し固定する第１固定部と、アキシャル部品の第１リードの軸方向における第１固定部とは異なる位置で第１リードを係止してアキシャル部品の脱落を防止する脱落防止部とを有している。これにより、アキシャル部品の第１リードが、第１固定部で接続かつ固定されつつ脱落防止部で係止されるので、ハウジングの外部で固定されたアキシャル部品の接触不良および脱落を防止できる。
【図面の簡単な説明】
【０００９】
【図１】本発明の一実施形態のトリガースイッチの斜視図。
【図２】図１のトリガースイッチの復帰状態を説明するための模式図。
【図３】図１のトリガースイッチの動作状態を説明するための模式図。
【図４】図１のトリガースイッチのアキシャル部品の周辺を示す平面図。
【図５】図１のトリガースイッチのアキシャル部品の周辺を示す側面図。
【図６】図１のトリガースイッチの第１の変形例を示す底面図。
【図７】図１のトリガースイッチの第２の変形例を示す平面図。
【発明を実施するための形態】
【００１０】
以下、本発明の一実施形態を添付図面に従って説明する。なお、以下の説明では、必要に応じて特定の方向あるいは位置を示す用語（例えば、「上」、「下」、「右」、「左」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。さらに、図面は模式的なものであり、各寸法の比率等は現実のものとは必ずしも合致していない。
【００１１】
本発明の一実施形態のトリガースイッチ１は、図１に示すように、絶縁性のハウジング１０、絶縁性のトリガー２０、導電性の第１端子３０、導電性の第２端子４０、および、アキシャル部品５０を備えている。ハウジング１０の内部には、図２および図３に示すように、収容部１１が設けられており、この収容部１１内には、第１端子３０および第２端子４０と電気的に接続された接点機構部２が設けられている。
【００１２】
ハウジング１０は、図１に示すように、略直方体の箱状を有している。また、ハウジング１０の外部には、ハウジング１０に対して接近および開離可能に連結されたトリガー２０が配置されている。
【００１３】
接点機構部２は、図２および図３に示すように、固定接点１２と可動接点１３とを有している。なお、図２および図３は、ハウジング１０の一部を取り除いた状態のトリガースイッチ１を模式的に示している。また、図２は、固定接点１２と可動接点１３とが開離した復帰状態のトリガースイッチ１を示し、図３は、固定接点１２と可動接点１３とが接触した動作状態のトリガースイッチ１を示している。
【００１４】
固定接点１２は、収容部１１の内部で導電性の第１端子３０に固定され、第１端子３０に電気的に接続されている。
【００１５】
第１端子３０は、板状を有し、ハウジング１０の外部から収容部１１まで延びている。この第１端子３０は、トリガー２０がハウジング１０に対して接近および開離する接離方向（図２および図３の左右方向）において、ハウジング１０の下側（図２および図３のＺ方向下側）の壁部１０１のトリガー２０から遠い方の端部に固定されている。
【００１６】
可動接点１３は、収容部１１の内部で可動接触片１４に固定され、可動接触片１４を介して導電性の第２端子４０に電気的に接続されている。可動接点１３は、固定接点１２に対向しかつ固定接点１２に対して接触および開離可能に配置されている。
【００１７】
可動接触片１４は、トリガー２０の接離方向に延びる長尺の薄板形状を有し、その長手方向の中間部で支持部１５に回動可能に支持されている。支持部１５は、トリガー２０の接離方向におけるハウジング１０の壁部１０１の略中央に設けられている。可動接触片１４の長手方向の一端部（図２および図３の左側端部）には、可動接点１３が固定されている。また、可動接触片１４の長手方向の他端部（図２および図３の右側端部）は第２端子４０と接触している。
【００１８】
第２端子４０は、板状を有し、ハウジング１０の外部から収容部１１まで延びている。この第２端子４０は、トリガー２０の接離方向において、ハウジング１０の下側の壁部１０１のトリガー２０に近い方の端部に固定され、第１端子３０に対して電気的に独立している。また、第２端子４０は、第１端子３０と板面同士が対向するように並列に配置されている。
【００１９】
トリガー２０は、図２および図３に示すように、ハウジング１０の短手方向（図２および図３の左右方向）の一側に配置され、使用者が指で操作する操作体２１と、この操作体２１のハウジング１０に対向する面からハウジング１０に向かってハウジング１０の内部まで延びている操作軸２２とを有している。
【００２０】
操作体２１は、トリガー２０の接離方向におけるハウジング１０から遠い方の面に湾曲面２１１（図１に示す）を有しており、使用者の指により操作体２１を操作し易くしている。
【００２１】
操作軸２２は、図２および図３に示すように、その延在方向（図２および図３の左右方向）の一端部がハウジング１０の外部で操作体２１に連結されている一方、その延在方向の他端部がハウジング１０の収容部１１の内部でハウジング１０に移動可能に連結されている。操作軸２２の延在方向の他端部には、トリガー２０をハウジング１０から開離させる方向に操作軸２２を付勢する復帰ばね２３が設けられている。
【００２２】
また、操作軸２２には、収容部１１の内部で操作軸２２からハウジング１０の壁部１０１に向かって延びるプランジャ２４が設けられている。このプランジャ２４は、トリガー２０の移動に連動して、その先端（図２および図３の下端）が、可動接触片１４に接触可能に配置されている。
【００２３】
すなわち、可動接点１３は、トリガー２０の接近動作および開離動作に対して、次のように連動して、固定接点１２に対して接触および開離する。
【００２４】
図２に示す復帰状態のトリガースイッチ１のトリガー２０の操作体２１を操作して、トリガー２０をハウジング１０に接近させると、トリガー２０のハウジング１０に対する接近方向への移動（接近動作）に連動して、プランジャ２４が、支持部１５よりも第１端子３０側で可動接触片１４に接触して、可動接触片１４を可動接触片１４の回動軸方向（図２および図３の紙面貫通方向）に沿った平面視において反時計回りに回動させる。これにより、可動接点１３が、ハウジング１０の下側の壁部１０１に接近して固定接点１２に接触し、図３に示す動作状態となる。
【００２５】
図３に示す動作状態のトリガースイッチ１のトリガー２０の操作体２１から指を離すと、復帰ばね２３により操作軸２２が、トリガー２０をハウジング１０から開離させる方向に付勢され、トリガー２０がハウジング１０から開離する方向に移動する。このトリガー２０のハウジング１０に対する開離方向への移動（開離動作）に連動して、プランジャ２４が、支持部１５に対する第２端子４０側で可動接触片１４に接触して、可動接触片１４を可動接触片１４の回動軸方向に沿った平面視において時計回りに回動させる。これにより、可動接点１３が，ハウジング１０の下側の壁部１０１から離れて可動接点１３が固定接点１２から開離し、図２に示す復帰状態となる。
【００２６】
アキシャル部品５０は、例えば、ダイオードあるいはコンデンサであり、図１に示すように、円柱状の部品本体５１と、この部品本体５１の軸方向の両側から互いに反対方向にそれぞれ延びている円柱棒状の第１リード５２および第２リード５３とを有し、ハウジング１０の外部に配置されている。第１リード５２は、ハウジング１０の外部で第１端子３０に固定され、第２リード５３は、ハウジング１０の外部で第２端子４０に固定されている。
【００２７】
次に、図１、図４、および、図５を参照して、第１端子３０、第２端子４０、および、アキシャル部品５０について、より詳細に説明する。なお、図１、図４、および、図５については、アキシャル部品５０の第１リード５２および第２リード５３が、第１端子３０および第２端子４０に固定される前の状態を示している。
【００２８】
図４に示すように、第１端子３０は、アキシャル部品５０の第１リード５２を固定する第１固定部３１と、第１リード５２の軸方向における第１固定部３１とは異なる位置で第１リード５２を係止する第１脱落防止部３２とを有している。また、第２端子４０は、アキシャル部品５０の第２リード５３を固定する第２固定部４１と、第２リード５３の軸方向における第２固定部４１とは異なる位置で第２リード５３を係止する第２脱落防止部４２とを有している。
【００２９】
詳しくは、第１端子３０は、図１および図４に示すように、第１端子本体３０１と、第１板部材３３と、第１端子本体３０１と第１板部材３３とを接続する第１接続部材３４とを有している。第１端子本体３０１は、ハウジング１０の下側の壁部１０１に対して略垂直に延びている。第１板部材３３は、第１端子３０と板面同士が対向していると共に、第１リード５２の軸方向かつ第２端子４０に接近する方向に並列に配置されている。
【００３０】
第１端子本体３０１は、図５に示すように、矩形状の突出部３５と、第１固定部３１を構成する第１凹部３６とを有している。
【００３１】
突出部３５は、第１リード５２の軸方向に交差する平面において、矩形状を有し、第１端子本体３０１の延在方向（図５の上下方向）かつ第１リード５２の軸方向（図５の紙面貫通方向）に交差する第１端子本体３０１の板幅方向（図５の左右方向）に対向する一対の第１側面３０２および第２側面３０３のうちの一方の第１側面３０２から板幅方向に突出している。
【００３２】
第１凹部３６は、突出部３５の第１端子本体３０１の板幅方向における第１端子本体３０１の第１側面３０２から遠い方の端部３５１に設けられた開口部３６１と、開口部３６１に接続された凹部本体３６２と、凹部本体３６２に接続された位置決め用切欠部３６４とを有している。
【００３３】
開口部３６１は、突出部３５の端部３５１における第１端子本体３０１の延在方向の中心よりもハウジング１０から離れた位置に配置されている。すなわち、第１端子本体３０１の延在方向における第１凹部３６の両側に位置する第１壁部３５２および第２壁部３５３の基部における第１端子本体３０１の延在方向の厚さＤ１、Ｄ２を比較すると、ハウジング１０に近い（図５の上側）第１壁部３５２の厚さＤ１の方が、ハウジング１０から遠い（図５の下側）第２壁部３５３の厚さＤ２よりも大きくなっている。
【００３４】
凹部本体３６２は、開口部３６１から第１端子本体３０１の延在方向に延びる第１直線Ｌ１に沿って、先窄まり状に延びている。
【００３５】
位置決め用切欠部３６４は、第１リード５２の軸方向における外形（すなわち、円）に沿って湾曲した円弧形状を有し、凹部本体３６２の開口部３６１に対向する底部３６３から、第１直線Ｌ１に交差する第２直線Ｌ２に沿って延びている。すなわち、位置決め用切欠部３６４は、凹部本体３６２の底部３６３から、第１端子本体３０１の延在方向においてはハウジング１０から離れ、かつ、第１端子本体３０１の板幅方向においては突出部３５の第２壁部３５３から離れる方向に延びている。
【００３６】
アキシャル部品５０の第１リード５２は、第１凹部３６において、次のように固定される。すなわち、図５に示すように、第１リード５２は、軸方向が第１端子本体３０１の板面と交差する方向に向いた状態で第１凹部３６の内部に挿入されて、位置決め用切欠部３６４に配置される。そして、第１リード５２が位置決め用切欠部３６４により位置決めされた状態で、突出部３５の第２壁部３５３が第１壁部３５２に向かって折り曲げられ、第１壁部３５２および第２壁部３５３により第１リード５２が挟持される。これにより、第１リード５２が第１凹部３６に接続され固定されている。
【００３７】
なお、第１端子本体３０１の第１側面３０２には、第２壁部３５３に隣接する溝部３０４が設けられている。これにより、第２壁部３５３を第１壁部３５２に向かって折り曲げ易くしている。
【００３８】
第１板部材３３は、図４に示すように、第１脱落防止部３２を構成する第２凹部３７を有している。
【００３９】
第２凹部３７は、第１端子本体３０１の板幅方向の一方の端部に開口部３７１が設けられていると共に、第１リード３０に交差する平面において、第１端子本体３０１の延在方向（図４の上下方向）に対して第１凹部３６と同じ側に配置されている。第２凹部３７は、第１端子本体３０１の延在方向における第１凹部３６の中心を通り、かつ、第１端子本体３０１の延在方向に対して略直交する方向に延びる直線Ｌ３上に配置されている。また、第２凹部３７は、第１凹部３６と同一の構成を有している。このため、第２凹部３７については、第１凹部３６に対応する部分に第１凹部３６と同一の参照番号を付して、第１凹部３６の説明を援用する。
【００４０】
すなわち、アキシャル部品５０の第１リード５２は、第２凹部３７において、第１凹部３６とは異なる位置で第１リード５２を挟持する。これにより、第１リード５２が第２凹部３７に係止されている。
【００４１】
第１接続部材３４は、図４に示すように、第１端子本体３０１の板厚方向（図４の左右方向）に延びて、第１端子本体３０１の突出部３５の第１壁部３５２と第１板部材３３の第１壁部３５２とを接続する第１部材３４１と、この第１部材３４１に対して略平行に延びて、第１端子本体３０１の突出部３５の第２壁部３５３と第１板部材の第２壁部３５３とを接続する接続部材３４２とで構成されている。第１部材３４１および第２部材３４２間には、第１リード５２を挿入可能な隙間が設けられている。
【００４２】
なお、この実施形態では、第１端子本体３０１、第１板部材３３、および、第１接続部３４は、導電性を有する１枚の金属板で一体に形成されている。
【００４３】
第２端子４０は、図１および図４に示すように、第２端子本体４０１と、第２板部材４３と、第２端子４０と第２板部材４３とを接続する第２接続部材４４とを有している。第２端子本体４０１は、ハウジング１０の下側の壁部１０１に対して略垂直に延びている。第２板部材４３は、第２端子４０と板面同士が対向していると共に、第２リード５３の軸方向かつ第１端子３０に接近する方向に並列に配置されている。
【００４４】
第２端子４０の第２端子本体部４０１、第２板部材４３、および、第２接続部４４は、第１端子３０の第１端子本体３０１、第１板部材３３、および、第１接続部３４とそれぞれ同一の構成を有している。このため、第２端子４０については、第１端子３０に対応する部分に第１端子３０と同一の参照版号を付して、第１端子３０の説明を援用する。
【００４５】
アキシャル部品５０は、図４に示すように、第１リード５２が第１端子３０の板面および板部材３３の板面に略直交し、第２リード５３が第２端子４０の板面および板部材４３の板面に略直交するように配置されている。また、第１リード５２が、第１端子３０の第１固定部３１を構成する第１凹部３６により接続かつ固定されていると共に、第１脱落防止部３２を構成する第２凹部３７により係止され、第２リード５３が、第２端子４０の第１固定部４１を構成する第１凹部３６により接続かつ固定されていると共に、第２脱落防止部４２を構成する第２凹部３７により係止されている。
【００４６】
このように、前記トリガースイッチ１によれば、第１端子３０が、アキシャル部品５０の第１リード５２を接続し固定する第１固定部３１と、アキシャル部品５０の第１リード５２の軸方向における第１固定部３１とは異なる位置で第１リード５２を係止してアキシャル部品５０の脱落を防止する第１脱落防止部３２とを有している。これにより、アキシャル部品５０の第１リード５２が、第１固定部３１で接続かつ固定されつつ第１脱落防止部３２で係止されるので、ハウジング１０の外部に固定したアキシャル部品の接触不良および脱落を防止できる。
【００４７】
また、第２端子４０が、第２固定部４１と第２脱落防止部４２とを有しているので、アキシャル部品５０の第２リード５３も第２固定部４１で接続かつ固定されつつ第２脱落防止部４２で係止される。これにより、ハウジング１０の外部で固定されたアキシャル部品の接触不良および脱落をより確実に防止できる。
【００４８】
また、第１端子３０が、第１端子本体３０１と、第１板部材３３と、第１接続部３４とを有している。これにより、簡単な構成で、アキシャル部品５０の第１リード５２を第１固定部３１で接続かつ固定しつつ第１脱落防止部３２で係止できる。
【００４９】
また、第１板部材３３が、端子本体３０１と板面同士が対向していると共に、第１リード３０の軸方向かつ第２端子４０に接近する方向に並列に配置され、第２板部材４３が、端子本体３０１と板面同士が対向していると共に、第２リード４０の軸方向かつ第１端子３０に接近する方向に並列に配置されている。これにより、アキシャル部品５０の位置決めが容易になる。
【００５０】
また、第１固定部３１を構成する第１凹部３６と第１脱落防止部３２を構成する第２凹部とが、凹部本体３６２と位置決め用切欠部３６４とを有している。これにより、第１リード５２を位置決め用切欠部３６４で位置決めした状態で固定できるので、第１固定部３１２で第１リード５２をより強固に固定しつつ、第１脱落防止部３２で第１リード５２をより強固に係止できる。
【００５１】
なお、前記実施形態では、第１凹部３６が第１固定部３１および第２固定部を構成し、第２凹部３７が第１脱落防止部３２および第２脱落防止部４２を構成したが、これに限らない。第１凹部３６および第２凹部３７のいずれか一方が、第１脱落防止部３２および第２脱落防止部４２を構成し、第１凹部３６および第２凹部３７のいずれか他方が、第１固定部３１および第２固定部を構成すればよい。
【００５２】
また、第１端子３０および第２端子４０のいずれか一方のみに脱落防止部を設けてもよい。
【００５３】
また、固定部および脱落防止部は、それぞれ第１凹部３６および第２凹部３７で構成される場合に限らない。固定部および脱落防止部は、アキシャル部品のリードの軸方向における異なる複数の位置に設けられて、アキシャル部品のリードを接続かつ固定しつつその脱落を防止できればよく、他の固定構造あるいは係止構造を採用することもできる。
【００５４】
例えば、図６に示すように、第１リード５２および第２リード５３をその軸法における３つの位置に、第３の固定部または脱落防止部１３１、１４１を設けてもよい。この場合、第１板部材３３（第２板部材４３）と板面同士が対向していると共に、第１リード５２（第２リード５３）の軸方向かつ第２端子４０（第１端子３０）に接近する方向に並列に配置された第３板部材１３３（第４板部材１４３）と、第１板部材３３（第２板部材４３）および第３板部材１３３（第４板部材１４３）を接続する第３接続部材１３４（第４接続部材１４４）とを設ければよい。第３板部材１３３（第４板部材１４３）は、第１板部材３３と同一の構成を採用でき、第３接続部材１３４（第４接続部材１４４）は、第１接続部材３４と同一の構成を採用できる。
【００５５】
また、アキシャル部品５０は、１つに限らず、図７に示すように、複数設けてもよい。この場合、複数のアキシャル部品５０の全てを同じ構成の固定部および脱落防止部で接続かつ固定しつつ係止してもよいし、アキシャル部品５０毎に異なる構成の固定部および脱落防止部で接続かつ固定しつつ係止してもよい。
【００５６】
以上、図面を参照して本発明における種々の実施形態を詳細に説明したが、最後に、本発明の種々の態様について説明する。
【００５７】
本発明の第１態様のトリガースイッチは、
内部に収容部を有するハウジングと、
前記ハウジングの外部に設けられ、前記ハウジングに対して接近および開離可能に連結されたトリガーと、
収容部内に設けられた固定接点と、前記収容部内で前記固定接点に対向するように設けられていると共に、前記ハウジングに対する前記トリガーの接近動作および開離動作に連動して前記固定接点に接触および開離する可動接点とを有する接点機構部と、
前記ハウジングに固定され、前記ハウジングの外部から前記収容部まで延びていると共に、前記接点機構部に電気的に接続されている板状の第１端子と、
前記ハウジングに固定され、前記ハウジングの外部から前記収容部まで延びていると共に、前記第１端子と板面同士が対向するように並列に配置され、前記接点機構部に電気的に接続された板状の第２端子と、
部品本体と、前記部品本体の両側から互いに反対方向にそれぞれ延びていると共に前記ハウジングの外部で前記第１端子および第２端子にそれぞれ固定されている棒状の第１リードおよび棒状の第２リードとを有し、前記ハウジングの外部に配置されたアキシャル部品と
を備え、
前記第１端子が、前記第１リードを接続し固定する第１固定部と、前記第１リードの軸方向における前記第１固定部とは異なる位置で前記第１リードを係止して前記アキシャル部品の脱落を防止する脱落防止部とを有し、
前記第２端子が、前記第２リードを接続し固定する第２固定部を有している。
【００５８】
第１態様のトリガースイッチによれば、アキシャル部品の第１リードが、第１固定部で接続かつ固定されつつ脱落防止部で係止されるので、ハウジングの外部で固定されたアキシャル部品の接触不良および脱落を防止できる。
【００５９】
本発明の第２態様のトリガースイッチは、
前記第１端子の前記脱落防止部が第１脱落防止部であり、
前記第２端子が、前記第２リードを係止して前記アキシャル部品の脱落を防止する第２脱落防止部を有する。
【００６０】
第２態様のトリガースイッチによれば、アキシャル部品の第２リードも第２固定部で接続かつ固定されつつ第２脱落防止部で係止される。これにより、ハウジングの外部で固定されたアキシャル部品の接触不良および脱落をより確実に防止できる。
【００６１】
本発明の第３態様のトリガースイッチは、
前記第１端子が、
前記ハウジングの外部から前記収容部まで延びている端子本体と、
前記端子本体と板面同士が対向していると共に、前記第１リードの前記軸方向かつ前記第２端子に接近する方向に並列に配置された板部材と、
前記端子本体と前記板部材とを接続する接続部材と、
を有し、
前記第１固定部が、前記端子本体および前記板部材のいずれか一方に設けられ、
前記第２固定部が、前記端子本体および前記板部材のいずれか他方に設けられている。
【００６２】
第３態様のトリガースイッチによれば、簡単な構成で、アキシャル部品の第１リードを第１固定部で接続かつ固定しつつ第１脱落防止部で係止できる。また、板部材が、端子本体と板面同士が対向していると共に、第１リードの軸方向かつ第２端子に接近する方向に並列に配置されているので、アキシャル部品５０の位置決めが容易になる。
【００６３】
本発明の第４態様のトリガースイッチは、
前記端子本体が、
前記端子本体の延在方向かつ前記第１リードの前記軸方向に交差する前記端子本体の板幅方向に対向する一対の側面の一方から前記板幅方向に突出している突出部と、
前記突出部の前記板幅方向における前記側面から遠い方の端部に開口部が設けられた第１凹部と
を有し、
前記板部材が、
前記板幅方向の一方の端部に開口部が設けられていると共に、前記第１リードに交差する平面において、前記端子本体の延在方向に対して前記第１凹部と同じ側に配置されている第２凹部を有し、
前記第１凹部および前記第２凹部が、
前記開口部に接続され、前記開口部から前記側面に向かう第１直線に沿って延びる凹部本体と、
前記凹部本体に接続され、前記凹部本体の前記開口部に対向する底部から前記第１直線に交差する第２直線に沿って延びる位置決め用切欠部と
を有し、
前記第１凹部および前記第２凹部のいずれか一方が前記第１固定部であり、前記第１凹部および前記第２凹部のいずれか他方が前記第２固定部である。
【００６４】
第４態様のトリガースイッチによれば、第１リードを位置決め用切欠部で位置決めした状態で固定できるので、第１固定部で第１リードをより強固に固定しつつ、第１脱落防止部で第１リード５２を強固に係止できる。
【００６５】
なお、前記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【産業上の利用可能性】
【００６６】
本発明のトリガースイッチは、例えば、電動工具に適用できる。
【符号の説明】
【００６７】
１  トリガースイッチ
２  接点機構部
１０  ハウジング
１０１  壁部
１１  収容部
１２  固定接点
１３  可動接点
１４  可動接触片
１５  支持部
２０  トリガー
２１  操作体
２１１湾曲面
２２  操作軸
２３  復帰ばね
２４  プランジャ
３０  第１端子
３０１  第１端子本体
３０２  第１側面
３０３  第２側面
３０４  溝部
３１  第１固定部
３２  第１脱落防止部
３３  第１板部材
３４  第１接続部材
３５  突出部
３５１  端部
３５２  第１壁部
３５３  第２壁部
３６  第１凹部
３６１  開口部
３６２  凹部本体
３６３  底部
３６４  位置決め用切欠部
３７  第２凹部
３７１  開口部
４０  第２端子
４０１  第２端子本体
４１  第２固定部
４２  第２脱落防止部
４３  第２板部材
４４  第２接続部材
１３１  固定部
１３３  第３板部材
１４１  脱落防止部
１４３  第４板部材
５０  アキシャル部品
５１  部品本体
５２  第１リード
５３  第２リード
Ｄ１、Ｄ２厚さ
Ｌ１、Ｌ２、Ｌ３  直線
【図１】
2018152294.tif 000003
【図２】
2018152294.tif 000004
【図３】
2018152294.tif 000005
【図４】
2018152294.tif 000006
【図５】
2018152294.tif 000007
【図６】
2018152294.tif 000008
【図７】
2018152294.tif 000009
【手続補正書】
【提出日】平成30年6月8日(2018.6.8)
【手続補正１】
【補正対象書類名】特許請求の範囲
【補正対象項目名】全文
【補正方法】変更
【補正の内容】
【特許請求の範囲】
【請求項１】
内部に収容部を有するハウジングと、
前記ハウジングの外部に設けられ、前記ハウジングに対して接近および開離可能に連結されたトリガーと、
前記収容部内に設けられた固定接点と、前記収容部内で前記固定接点に対向するように設けられていると共に、前記ハウジングに対する前記トリガーの接近動作および開離動作に連動して前記固定接点に接触および開離する可動接点とを有する接点機構部と、
前記ハウジングに固定され、前記ハウジングの外部から前記収容部まで延びていると共に、前記接点機構部に電気的に接続されている板状の第１端子と、
前記ハウジングに固定され、前記ハウジングの外部から前記収容部まで延びていると共に、前記第１端子と板面同士が対向するように並列に配置され、前記接点機構部に電気的に接続された板状の第２端子と、
部品本体と、前記部品本体の両側から互いに反対方向にそれぞれ延びていると共に前記ハウジングの外部で前記第１端子および第２端子にそれぞれ固定されている棒状の第１リードおよび棒状の第２リードとを有し、前記ハウジングの外部に配置されたアキシャル部品と
を備え、
前記第１端子が、前記第１リードを接続し固定する第１固定部と、前記第１リードの軸方向における前記第１固定部とは異なる位置で前記第１リードを係止して前記アキシャル部品の脱落を防止する脱落防止部とを有し、
前記第２端子が、前記第２リードを接続し固定する第２固定部を有している、トリガースイッチ。
【請求項２】
前記第１端子の前記脱落防止部が第１脱落防止部であり、
前記第２端子が、前記第２リードを係止して前記アキシャル部品の脱落を防止する第２脱落防止部を有する、請求項１に記載のトリガースイッチ。
【請求項３】
前記第１端子が、
前記ハウジングの外部から前記収容部まで延びている端子本体と、
前記端子本体と板面同士が対向していると共に、前記第１リードの前記軸方向かつ前記第２端子に接近する方向に並列に配置された板部材と、
前記端子本体と前記板部材とを接続する接続部材と
を有し、
前記第１固定部が、前記端子本体および前記板部材のいずれか一方に設けられ、
前記第２固定部が、前記端子本体および前記板部材のいずれか他方に設けられている、請求項１または２に記載のトリガースイッチ。
【請求項４】
前記端子本体が、
前記端子本体の延在方向かつ前記第１リードの前記軸方向に交差する前記端子本体の板幅方向に対向する一対の側面の一方から前記板幅方向に突出している突出部と、
前記突出部の前記板幅方向における前記側面から遠い方の端部に開口部が設けられた第１凹部と
を有し、
前記板部材が、
前記板幅方向の一方の端部に開口部が設けられていると共に、前記第１リードに交差する平面において、前記端子本体の延在方向に対して前記第１凹部と同じ側に配置されている第２凹部を有し、
前記第１凹部および前記第２凹部が、
前記開口部に接続され、前記開口部から前記側面に向かう第１直線に沿って延びる凹部本体と、
前記凹部本体に接続され、前記凹部本体の前記開口部に対向する底部から前記第１直線に交差する第２直線に沿って延びる位置決め用切欠部と
を有し、
前記第１凹部および前記第２凹部のいずれか一方が前記第１固定部であり、前記第１凹部および前記第２凹部のいずれか他方が前記第２固定部である、請求項３に記載のトリガースイッチ。
【手続補正２】
【補正対象書類名】明細書
【補正対象項目名】０００２
【補正方法】変更
【補正の内容】
【０００２】
特許文献１に開示されているトリガースイッチは、ハウジングと、ハウジングの外部に設けられかつハウジングに対して接近および開離可能に連結されたトリガーと、ハウジングの内部に設けられ、ハウジングに対するトリガーの接近動作および開離動作に連動して作動する接点機構部と、接点機構部に電気的に接続された一対の端子とを備えている。一対の端子は、それぞれ、ハウジングの内部からハウジングの外部まで延びている。
【手続補正３】
【補正対象書類名】明細書
【補正対象項目名】０００７
【補正方法】変更
【補正の内容】
【０００７】
本発明の一態様のトリガースイッチは、
内部に収容部を有するハウジングと、
前記ハウジングの外部に設けられ、前記ハウジングに対して接近および開離可能に連結されたトリガーと、
前記収容部内に設けられた固定接点と、前記収容部内で前記固定接点に対向するように設けられていると共に、前記ハウジングに対する前記トリガーの接近動作および開離動作に連動して前記固定接点に接触および開離する可動接点とを有する接点機構部と、
前記ハウジングに固定され、前記ハウジングの外部から前記収容部まで延びていると共に、前記接点機構部に電気的に接続されている板状の第１端子と、
前記ハウジングに固定され、前記ハウジングの外部から前記収容部まで延びていると共に、前記第１端子と板面同士が対向するように並列に配置され、前記接点機構部に電気的に接続された板状の第２端子と、
部品本体と、前記部品本体の両側から互いに反対方向にそれぞれ延びていると共に前記ハウジングの外部で前記第１端子および第２端子にそれぞれ固定されている棒状の第１リードおよび棒状の第２リードとを有し、前記ハウジングの外部に配置されたアキシャル部品と
を備え、
前記第１端子が、前記第１リードを接続し固定する第１固定部と、前記第１リードの軸方向における前記第１固定部とは異なる位置で前記第１リードを係止して前記アキシャル部品の脱落を防止する脱落防止部とを有し、
前記第２端子が、前記第２リードを接続し固定する第２固定部を有している。
【手続補正４】
【補正対象書類名】明細書
【補正対象項目名】００３９
【補正方法】変更
【補正の内容】
【００３９】
第２凹部３７は、第１端子本体３０１の板幅方向の一方の端部に開口部３７１が設けられていると共に、第１リード５２に交差する平面において、第１端子本体３０１の延在方向（図４の上下方向）に対して第１凹部３６と同じ側に配置されている。第２凹部３７は、第１端子本体３０１の延在方向における第１凹部３６の中心を通り、かつ、第１端子本体３０１の延在方向に対して略直交する方向に延びる直線Ｌ３上に配置されている。また、第２凹部３７は、第１凹部３６と同一の構成を有している。このため、第２凹部３７については、第１凹部３６に対応する部分に第１凹部３６と同一の参照符号を付して、第１凹部３６の説明を援用する。
【手続補正５】
【補正対象書類名】明細書
【補正対象項目名】００４２
【補正方法】変更
【補正の内容】
【００４２】
なお、この実施形態では、第１端子本体３０１、第１板部材３３、および、第１接続部材３４は、導電性を有する１枚の金属板で一体に形成されている。
【手続補正６】
【補正対象書類名】明細書
【補正対象項目名】００４４
【補正方法】変更
【補正の内容】
【００４４】
第２端子４０の第２端子本体４０１、第２板部材４３、および、第２接続部材４４は、第１端子３０の第１端子本体３０１、第１板部材３３、および、第１接続部材３４とそれぞれ同一の構成を有している。このため、第２端子４０については、第１端子３０に対応する部分に第１端子３０と同一の参照符号を付して、第１端子３０の説明を援用する。
【手続補正７】
【補正対象書類名】明細書
【補正対象項目名】００４８
【補正方法】変更
【補正の内容】
【００４８】
また、第１端子３０が、第１端子本体３０１と、第１板部材３３と、第１接続部材３４とを有している。これにより、簡単な構成で、アキシャル部品５０の第１リード５２を第１固定部３１で接続かつ固定しつつ第１脱落防止部３２で係止できる。
【手続補正８】
【補正対象書類名】明細書
【補正対象項目名】００４９
【補正方法】変更
【補正の内容】
【００４９】
また、第１板部材３３が、端子本体３０１と板面同士が対向していると共に、第１リード５２の軸方向かつ第２端子４０に接近する方向に並列に配置され、第２板部材４３が、端子本体３０１と板面同士が対向していると共に、第２リード５３の軸方向かつ第１端子３０に接近する方向に並列に配置されている。これにより、アキシャル部品５０の位置決めが容易になる。
【手続補正９】
【補正対象書類名】明細書
【補正対象項目名】００５７
【補正方法】変更
【補正の内容】
【００５７】
本発明の第１態様のトリガースイッチは、
内部に収容部を有するハウジングと、
前記ハウジングの外部に設けられ、前記ハウジングに対して接近および開離可能に連結されたトリガーと、
前記収容部内に設けられた固定接点と、前記収容部内で前記固定接点に対向するように設けられていると共に、前記ハウジングに対する前記トリガーの接近動作および開離動作に連動して前記固定接点に接触および開離する可動接点とを有する接点機構部と、
前記ハウジングに固定され、前記ハウジングの外部から前記収容部まで延びていると共に、前記接点機構部に電気的に接続されている板状の第１端子と、
前記ハウジングに固定され、前記ハウジングの外部から前記収容部まで延びていると共に、前記第１端子と板面同士が対向するように並列に配置され、前記接点機構部に電気的に接続された板状の第２端子と、
部品本体と、前記部品本体の両側から互いに反対方向にそれぞれ延びていると共に前記ハウジングの外部で前記第１端子および第２端子にそれぞれ固定されている棒状の第１リードおよび棒状の第２リードとを有し、前記ハウジングの外部に配置されたアキシャル部品と
を備え、
前記第１端子が、前記第１リードを接続し固定する第１固定部と、前記第１リードの軸方向における前記第１固定部とは異なる位置で前記第１リードを係止して前記アキシャル部品の脱落を防止する脱落防止部とを有し、
前記第２端子が、前記第２リードを接続し固定する第２固定部を有している。
【手続補正１０】
【補正対象書類名】明細書
【補正対象項目名】００６２
【補正方法】変更
【補正の内容】
【００６２】
第３態様のトリガースイッチによれば、簡単な構成で、アキシャル部品の第１リードを第１固定部で接続かつ固定しつつ第１脱落防止部で係止できる。また、板部材が、端子本体と板面同士が対向していると共に、第１リードの軸方向かつ第２端子に接近する方向に並列に配置されているので、アキシャル部品の位置決めが容易になる。
【手続補正１１】
【補正対象書類名】明細書
【補正対象項目名】００６４
【補正方法】変更
【補正の内容】
【００６４】
第４態様のトリガースイッチによれば、第１リードを位置決め用切欠部で位置決めした状態で固定できるので、第１固定部で第１リードをより強固に固定しつつ、第１脱落防止部で第１リードを強固に係止できる。